(57)【要約】【課題】地震時にカバー板と建造物の壁面との間に開口が生じることがなく、また、コストを低減し得る壁用目地カバー装置を提供する。【解決手段】隣接する左右の建造物Ａ，Ｂの側壁面ｘ，ｘ間の目地ｓを遮蔽する壁用目地カバー装置１Ａにあって、目地ｓの幅方向に連続するように蛇腹状に折曲された薄肉バネ鋼板からなるカバー板５を、その両側縁を左右の建造物Ａ，Ｂの側壁面ｘ，ｘに夫々固定することによって目地ｓの幅方向に伸縮可能に配設した。【選択図】図１
2012072602.tif 000002
【特許請求の範囲】
【請求項１】
隣接する左右の建造物の側壁面間の目地を遮蔽する壁用目地カバー装置において、
目地の幅方向に連続するように蛇腹状に折曲された薄肉バネ鋼板からなるカバー板が、その両側縁を左右の建造物の側壁面に夫々固定することによって目地の幅方向に伸縮可能に配設されていることを特徴とする壁用目地カバー装置。
【請求項２】
カバー板の背面側で、隣接する左右の建造物の側壁面に両端部が前後方向及び上下方向に回動可能に連結された伸縮性支持体が、その両端部の高さ位置を相違させて斜めに配設され、該伸縮性支持体の長手方向中央部がカバー板の幅方向中央部に回動可能に連結されていることを特徴とする請求項１記載の壁用目地カバー装置。
【請求項３】
伸縮性支持体が、径の異なる複数本のパイプの、その最も径大なパイプの両端に、夫々径大なパイプに径小なパイプを順次進退可能に内嵌させて脱出不能に連結されたものであり、最外部に位置する最も径大なパイプの長手方向中央部がカバー板の幅方向中央部に回動可能に連結されていることを特徴とする請求項２記載の壁用目地カバー装置。
【請求項４】
伸縮性支持体が、引張バネからなるものであることを特徴とする請求項２記載の壁用目地カバー装置。
【発明の詳細な説明】
【技術分野】
【０００１】
本発明は、隣接する左右の建造物の側壁面間の目地を遮蔽する壁用目地カバー装置に関する。
【背景技術】
【０００２】
従来の壁用目地カバー装置ａにあって、図１２に示すように、目地ｓを介して隣接する一方の建造物Ｂの側壁面ｂに矩形枠状に形成されたホルダーｃの一端をヒンジｄを介して回動可能に枢結し、該ホルダーｃの他端を他方の建造物Ａの壁面ｅに差し渡すとともに、引張バネｆからなる付勢手段によって前記ホルダーｃを目地ｓの内方に付勢することにより、ホルダーｃの他端を建造物Ａの壁面ｅに弾接させ、該ホルダーｃに被着したカバー板ｇによって、目地ｓを遮蔽するようにしたものが知られている（例えば、特許文献１参照）。
【０００３】
また、前記ホルダーｃの枢結端側には、該ホルダーｃに裏面から当接するストッパーｈが配設され、該ストッパーｈによってホルダーｃの内方への回動を規制し、目地ｓの外方にのみ回動させ得るようにしている。
【先行技術文献】
【特許文献】
【０００４】
【特許文献１】特開２０００−１６０７０６号公報（図９）
【発明の概要】
【発明が解決しようとする課題】
【０００５】
ところで、従来構成の壁用目地カバー装置ａにあっては、地震時に建造物Ａ，Ｂが前後方向あるいは左右方向に離隔するように相対変位すると、図１３（Ａ），（Ｂ）に示すように、カバー板ｇの端部と建造物Ａの壁面ｅとの間に開口が生じるという問題点があった。
【０００６】
また、カバー板ｇを被着するためのホルダーｃや該ホルダーｃを目地ｓの内方に付勢する引張バネｆ、或いはホルダーｃの内方回動を規制するストッパーｈ等が必要であるため、部品点数が多く、製作や組み立てに手間が掛かり、それなりにコストが高いものとなっていた。
【０００７】
本発明は、かかる従来の問題点を解消するためになされたものであり、地震時にカバー板と建造物の壁面との間に開口が生じることがなく、また、コストを低減し得る壁用目地カバー装置を提供することを目的とするものである。
【課題を解決するための手段】
【０００８】
本発明は、隣接する左右の建造物の側壁面間の目地を遮蔽する壁用目地カバー装置において、目地の幅方向に連続するように蛇腹状に折曲された薄肉バネ鋼板からなるカバー板が、その両側縁を左右の建造物の側壁面に夫々固定することによって目地の幅方向に伸縮可能に配設されていることを特徴とする壁用目地カバー装置である。
【０００９】
前記壁用目地カバー装置にあって、カバー板の背面側で、隣接する左右の建造物の側壁面に両端部が前後方向及び上下方向に回動可能に連結された伸縮性支持体が、その両端部の高さ位置を相違させて斜めに配設され、該伸縮性支持体の長手方向中央部がカバー板の幅方向中央部に回動可能に連結されている構成が提案される。
【００１０】
また、前記伸縮性支持体が、径の異なる複数本のパイプの、その最も径大なパイプの両端に、夫々径大なパイプに径小なパイプを順次進退可能に内嵌させて脱出不能に連結されたものであり、最外部に位置する最も径大なパイプの長手方向中央部がカバー板の幅方向中央部に回動可能に連結されている構成が提案される。
【００１１】
また、前記伸縮性支持体が、引張バネからなるものである構成が提案される。
【発明の効果】
【００１２】
本発明は、上述したように、目地の幅方向に連続するように蛇腹状に折曲された薄肉バネ鋼板からなるカバー板が、その両側縁を左右の建造物の側壁面に夫々固定することによって目地の幅方向に伸縮可能に配設されている壁用目地カバー装置であるので、地震時に、隣接する左右の建造物が前後方向に、または左右方向に離隔するように相対変位すると、蛇腹状に折曲された薄肉バネ鋼板からなるカバー板が、その伸縮性によって前記相対変位に追従する。これにより、如何なるときでもカバー板と建造物の側壁面との間に開口が生じることがなく、該カバー板によって目地を確実に遮蔽することができる。
【００１３】
また、従来構成に比して、カバー板ｇを被着するためのホルダーｃ（図１２参照）や該ホルダーｃを目地ｓの内方に付勢する引張バネｆ、或いはホルダーｃの内方回動を規制するストッパーｈ等が不要であるため、部品点数が減少し、製作や組み立てに手間が掛からないため、コストを低減することができる。
【００１４】
前記壁用目地カバー装置にあって、カバー板の背面側で、隣接する左右の建造物の側壁面に両端部が前後方向及び上下方向に回動可能に連結された伸縮性支持体が、その両端部の高さ位置を相違させて斜めに配設され、該伸縮性支持体の長手方向中央部がカバー板の幅方向中央部に回動可能に連結されている構成にあっては、カバー板の幅方向中央部に連結された伸縮性支持体によってカバー板が支持され、該カバー板の前後方向の揺動を抑制することができるとともに、地震時にカバー板を支持した状態で、伸縮性支持体を左右の建造物の相対変位に追従させることができる。
【００１５】
また、前記伸縮性支持体が、径の異なる複数本のパイプの、その最も径大なパイプの両端に、夫々径大なパイプに径小なパイプを順次進退可能に内嵌させて脱出不能に連結されたものであり、最外部に位置する最も径大なパイプの長手方向中央部がカバー板の幅方向中央部に回動可能に枢結されている構成にあっては、硬性を備えたパイプによってカバー板の前後方向の揺動抑制を確実に行わせることができるとともに、優れた伸縮性を得ることができる。
【００１６】
また、前記伸縮性支持体が、引張バネからなる構成にあっては、簡単な構成であるにも拘わらず、カバー板に対する所定の揺動抑制作用を得ることができ、前記パイプ製の伸縮性支持体に比して安価なものとなる。
【図面の簡単な説明】
【００１７】
【図１】第一実施例にかかる壁用目地カバー装置１Ａの施工状態を示す横断面図である。
【図２】同上の壁用目地カバー装置１Ａの施工状態を示す正面図である。
【図３】建造物Ａ，Ｂが常態から左右方向に離隔するように相対変位したときのカバー板５の作用説明図である。
【図４】建造物Ａ，Ｂが常態から前後方向に相対変位したときのカバー板５の作用説明図である。
【図５】第二実施例にかかる壁用目地カバー装置１Ｂの施工状態を示す横断面図である。
【図６】同上の壁用目地カバー装置１Ｂの施工状態を示す正面図である。
【図７】伸縮性支持体８Ａと連結手段１６Ａとを示す拡大横断面図である。
【図８】第二実施例の変形実施例にかかる連結手段１６Ｂを備えた壁用目地カバー装置１Ｂの施工状態を示す横断面図である。
【図９】同上の連結手段１６Ｂを示す拡大横断面図である。
【図１０】第三実施例にかかる壁用目地カバー装置１Ｃの施工状態を示す横断面図である。
【図１１】同上の壁用目地カバー装置１Ｃの施工状態を示す正面図である。
【図１２】従来構成の壁用目地カバー装置ａの施工状態を示す横断面図である。
【図１３】従来構成の壁用目地カバー装置ａの地震時における作用説明図である。
【発明を実施するための形態】
【００１８】
以下に、本発明の第一実施例を、図１〜図４に基づいて説明する。
本発明にかかる壁用目地カバー装置１Ａは、図１に示すように、目地ｓを介して隣接する左右の建造物Ａ，Ｂの側壁面ｘ，ｘ間に配設される。ここで、一方の建造物Ａは、図示しない免震装置によって下部が支持されており、免震構造となっている。これにより、地震時には、免震装置の免震作用によって建造物Ａが水平方向に大きく揺れることとなる。
【００１９】
建造物Ａ，Ｂの対向する両側壁面ｘ，ｘには、壁用目地カバー装置１Ａを構成する左右の固定枠２，２が上下方向に延在させて夫々配設されている。該固定枠２，２は、側壁面ｘ，ｘに固定される固定片部２ａと該固定片部２ａの後端から内方に突出する連結片部２ｂとを備えた断面Ｌ形のステンレス製アングル材からなり、各固定片部２ａが、側壁面ｘ，ｘから突出された複数のアンカーボルト３（図２参照）と各アンカーボルト３に螺合されたナット４とによって両側壁面ｘ，ｘに夫々固定されている。
【００２０】
前記固定枠２，２の連結片部２ｂ，２ｂには、両建造物Ａ，Ｂの側壁面ｘ，ｘ間の目地ｓを遮蔽するカバー板５の左右両側縁６，６が複数のピアスビス７によって連結されている。これにより、固定枠２，２を介してカバー板５の左右両側縁６，６が両建造物Ａ，Ｂの側壁面ｘ，ｘに固定されている。カバー板５は、目地ｓの幅方向に連続するように蛇腹状に折曲された薄肉バネ鋼板からなり、これには厚み０．２ｍｍ程度のステンレスバネ鋼（SUS304H）をプレス加工したものが好適に用いられ得る。そして、この蛇腹状に形成されたカバー板５の左右両側縁６，６を両建造物Ａ，Ｂの側壁面ｘ，ｘに固定することにより、該カバー板５が目地ｓの幅方向に伸縮可能に配設されている。
【００２１】
かかる構成にあって、地震時に、隣接する左右の建造物Ａ，Ｂが前後方向に、または左右方向に離隔するように相対変位すると、蛇腹状に折曲された薄肉バネ鋼板からなるカバー板５が、その伸縮性によって前記相対変位に追従する。即ち、図３（Ａ）に示す常態から建造物Ａ，Ｂが左右方向に離隔するように相対変位すると、図３（Ｂ）に示すように、カバー板５が左右方向に伸長してその相対変位に追従し、また、図４（Ａ）に示す常態から建造物Ａ，Ｂが前後方向に相対変位すると、図４（Ｂ）に示すように、カバー板５が斜めに伸長してその相対変位に追従する。尚、図示省略するが、左右の建造物Ａ，Ｂが近接するように相対変位した場合には、カバー板５が収縮してその相対変位に追従することとなる。これにより、如何なるときでもカバー板５と建造物Ａ，Ｂの側壁面ｘ，ｘとの間に開口が生じることがなく、該カバー板５によって目地ｓを確実に遮蔽することができる。
【００２２】
また、第一実施例にかかる壁用目地カバー装置１Ａは、カバー板５と左右の固定枠２，２とを主要部品として構成されているため、従来構成（図１２参照）に比して、部品点数が減少し、製作や組み立てに手間が掛からないため、コストを低減することができる。
【００２３】
図５〜図７は第二実施例にかかる壁用目地カバー装置１Ｂを示し、この壁用目地カバー装置１Ｂは、カバー板５の背面側に、該カバー板５の前後方向の揺動を抑制する伸縮性支持体８Ａを備えてなるものである。該伸縮性支持体８Ａは、図７に示すように、径の異なる複数本のパイプ９からなり、その最も径大なパイプ９（９ａ）の両端に、夫々径大なパイプ９に径小なパイプ９が順次進退可能に内嵌されるとともに、径大なパイプ９の先端内周部と径小なパイプ９の後端外周部とに配設された相互に当接可能が環状のストッパー部材１０ａ，１０ｂによって各パイプ９が脱出不能に連結されている。
【００２４】
伸縮性支持体８Ａの長手方向の両端部となる最も径小なパイプ９（９ｂ），９（９ｂ）の先端部は、夫々前後方向に回動可能なヒンジ１１，１１の回動片部１１ａにボルト１２とナット１３を介して上下方向に回動可能に連結されている。また、両ヒンジ１１，１１の固定片部１１ｂは、その高さ位置を相違させて左右の建造物Ａ，Ｂの側壁面ｘ，ｘにアンカーボルト１４とナット１５によって固定されている。これにより、図６に示すように、伸縮性支持体８Ａが左右の建造物Ａ，Ｂの側壁面ｘ，ｘ間に斜めに配設されており、地震時に建造物Ａ，Ｂが近接する方向に相対変位すると、伸縮性支持体８Ａの両端部が上下方向に回動してその相対変位に追従するようになっている。
【００２５】
また、前記伸縮性支持体８Ａの長手方向中央部は、カバー板５の幅方向中央部に連結手段１６Ａを介して回動可能に連結されている。この連結手段１６Ａは、図７に示すように、伸縮性支持体８Ａの最外部に位置する最も径大なパイプ９（９ａ）の長手方向中央部に、前方から後方に向けて回動可能に挿通された連結ボルト１７と、該連結ボルト１７の後端突出部に螺着された袋ナット１８と、前記連結ボルト１７の頭部１７ａに装着された連結片１９とによって構成されており、該連結片１９の先端部が溶接またはリベット止めを介してカバー板５の幅方向中央部に固着されている。
【００２６】
かかる構成にあって、カバー板５の幅方向中央部に連結された伸縮性支持体８Ａによってカバー板５が支持されていることにより、該カバー板５の前後方向の揺動を抑制することができる。また、地震時にカバー板５を支持した状態で、伸縮性支持体８Ａをその伸縮作用及び両端部の回動作用を介して左右の建造物Ａ，Ｂの相対変位に追従させることができる。特に、この伸縮性支持体８Ａは、径の異なる複数本のパイプ９の、その最も径大なパイプ９（９ａ）の両端に、夫々径大なパイプ９に径小なパイプ９を順次進退可能に内嵌させて脱出不能に連結したものであるため、硬性を備えたパイプ９によってカバー板５の前後方向の揺動抑制を確実に行わせることができるとともに、優れた伸縮性を得ることができる。
【００２７】
図８，図９は第二実施例の変形実施例を示し、この変形実施例では、伸縮性支持体８Ａの長手方向中央部と、カバー板５の幅方向中央部とが前記とは異なる構成の連結手段１６Ｂによって回動可能に連結されている。この連結手段１６Ｂは、図９に示すように、伸縮性支持体８Ａの最外部に位置する最も径大なパイプ９（９ａ）の長手方向中央部に、前方から後方に向けて回動可能に挿通された螺子杆２０と、該螺子杆２０の後端突出部に螺着された袋ナット１８と、前記螺子杆２０の前端に固着された左右一対の薄肉状Ｌ形連結片２１，２１とによって構成されており、該連結片２１，２１の対向する先端部が溶接またはリベット止めを介してカバー板５の幅方向中央部に固着されている。
【００２８】
かかる構成にあっては、図８に示すように、伸縮性支持体８Ａの最外部に位置する最も径大なパイプ９（９ａ）にカバー板５の背面側に位置する大部分の屈曲部を当接させることができるため、カバー板５の前後方向の揺動抑制をより確実に行わせることができる。
【００２９】
図１０，図１１は第三実施例にかかる壁用目地カバー装置１Ｃを示し、この壁用目地カバー装置１Ｃは、カバー板５の背面側に、該カバー板５の前後方向の揺動を抑制する伸縮性支持体８Ｂを備えてなるものである。該伸縮性支持体８Ｂは、引張バネからなり、その両端を、図１１に示すように、高さ位置を相違させて左右の建造物Ａ，Ｂの側壁面ｘ，ｘに固定されたブラケット２２，２２に係合させることにより、建造物Ａ，Ｂの側壁面ｘ，ｘ間に適宜の引張状態で斜めに配設されている。また、伸縮性支持体８Ｂの長手方向中央部は、カバー板５の幅方向中央部に円環状のワイヤ２３を介して回動可能に連結されている。
【００３０】
かかる構成にあっては、簡単な構成であるにも拘わらず、カバー板５に対する所定の揺動抑制作用を得ることができ、前記パイプ製の伸縮性支持体８Ａに比して安価となる利点がある。
【符号の説明】
【００３１】
Ａ  建造物
Ｂ  建造物
ｓ  目地
ｘ  側壁面
１Ａ，１Ｂ，１Ｃ  壁用目地カバー装置
５  カバー板
８Ａ，８Ｂ  伸縮性支持体
９  パイプ
９ａ  最も径大なパイプ
【図１】
2012072602.tif 000003
【図２】
2012072602.tif 000004
【図３】
2012072602.tif 000005
【図４】
2012072602.tif 000006
【図５】
2012072602.tif 000007
【図６】
2012072602.tif 000008
【図７】
2012072602.tif 000009
【図８】
2012072602.tif 000010
【図９】
2012072602.tif 000011
【図１０】
2012072602.tif 000012
【図１１】
2012072602.tif 000013
【図１２】
2012072602.tif 000014
【図１３】
2012072602.tif 000015